(57)【要約】【課題】人の目に優しく、自然かつ暖かい感じの発光が可能になり、ひいては貝殻の利用用途の拡大を促進することができる小型電球用導光体、小型電球及び電飾装置の提供を目的とするものである。【解決手段】本考案の小型電球用導光体は、貝殻から形成されたものである。当該小型電球用導光体は、略球形に形成し、電球頭部を挿入するための凹部を有するとよい。本考案の小型電球は、電球本体と、この電球本体の頭部に付設される当該小型電球用導光体とを備えている。当該小型電球は、電球本体の頭部の側面に反射材を被覆するとよい。本考案の電飾装置は、複数の当該小型電球と、これらの小型電球を嵌入する複数のソケットと、これらのソケットに接続する電線とを備えている。【選択図】図１
0003139103.tif 000002
【実用新案登録請求の範囲】
【請求項１】
貝殻から形成される小型電球用導光体。
【請求項２】
略球形に形成され、電球の頭部を挿入するための凹部を有する請求項１に記載の小型電球用導光体。
【請求項３】
電球本体と、
この電球本体の頭部に付設される請求項１又は請求項２に記載の小型電球用導光体と
を備える小型電球。
【請求項４】
上記電球本体の頭部の側面に反射材が被覆されている請求項３に記載の小型電球。
【請求項５】
請求項３又は請求項４に記載の複数の小型電球と、
これらの小型電球を嵌入する複数のソケットと、
これらのソケットに接続する電線と
を備える電飾装置。
【考案の詳細な説明】
【技術分野】
【０００１】
本考案は、人の目に優しく、自然かつ暖かい感じの発光が可能になり、ひいては貝殻の利用用途の拡大を促進することができる小型電球用導光体、小型電球及び電飾装置に関するものである。
【背景技術】
【０００２】
今日では、クリスマスツリー、エクステリア装飾、広告板などに電飾装置（イルミネーション）が普及しており、かかる電飾装置には多くの小型電球が使用されている。電飾装置に使用される小型電球としては、白熱電球やＬＥＤ（発光ダイオード）などが用いられている。
【０００３】
かかる電飾装置において、小型電球は通常そのまま使用されており（例えば特開平８−１６０８９５号公報等参照）、光ファイバーを用いた電飾装置や（例えば特開２００３−３１７５１６号公報等参照）、電球の外周面に着色した透光性合成樹脂層を設ける電飾装置（例えば特開平８−７８５２号公報等参照）などが開発されている。
【特許文献１】特開平８−１６０８９５号公報
【特許文献２】特開２００３−３１７５１６号公報
【特許文献３】特開平８−７８５２号公報
【考案の開示】
【考案が解決しようとする課題】
【０００４】
上述のような電飾装置の小型電球から発せられる光は、原則として点光であるため、華やかではあるが、ギラギラした印象を与え、人の目に優しくないという不都合がある。一方、光ファイバーを用いた電飾装置は、小型電球から出射した光線を光ファイバーで分散させて導き、散点光とするものであり、上記不都合を解消するには至らない。また、電球の外周面に着色した透光性合成樹脂層を設ける電飾装置は、小型電球から発せられる光を任意の色彩に変更するものであり、上記不都合を解消するには至らない。
【０００５】
本考案はこれらの不都合に鑑みてなされたものであり、人の目に優しく、自然かつ暖かい感じの発光が可能になり、ひいては貝殻の利用用途の拡大を促進することができる小型電球用導光体、小型電球及び電飾装置の提供を目的とするものである。
【課題を解決するための手段】
【０００６】
上記課題を解決するためになされた考案は、貝殻から形成される小型電球用導光体である。
【０００７】
貝殻は、貝殻質と炭酸カルシウムを主成分として含み、光線を透過する性質（透光性）及び透過する光線を分散（散乱）する性質（光拡散性）を有しており、貝殻の種類によっては蛍光性を有している。そのため、貝殻から形成される当該小型電球用導光体は、小型電球から発せられる点状の光線を導光体全体に分散させて導き、表面全体から人の目に優しく、自然かつ暖かい光として発散することができる。
【０００８】
また、貝殻は、基本的には食用の貝柱等を取った後の産業廃棄物であり、４０％程度は飼料、肥料等として再利用されるが、その他は廃棄処分されている。当該小型電球用導光体は、このような廃棄処分される貝殻に新たな利用用途を提供するものであり、地球に優しいものとなる。
【０００９】
当該小型電球用導光体は、略球形に形成し、電球頭部を挿入するための凹部を有するとよい。このように当該小型電球用導光体を略球形に形成し、小型電球の頭部を挿入する凹部を有することで、小型電球から発せられる光線を導光体の表面全体から略均一に発散することができる。
【００１０】
上記課題を解決するためになされた別の考案は、電球本体と、この電球本体の頭部に付設される当該小型電球用導光体とを備える小型電球である。
【００１１】
上述のように当該小型電球用導光体が光線の透過性及び光拡散性を有し、種類によっては加えて蛍光性も有しているため、電球本体の頭部に当該小型電球用導光体が付設された当該小型電球は、人の目に優しく、自然かつ暖かい光として発散することができる。
【００１２】
当該小型電球は、電球本体の頭部の側面に反射材を被覆するとよい。このように発光する電球本体の頭部の側面に反射材を被覆することで、出射した光線を効率よく導光体に導き、頭部から直接外部に漏れる光線を低減し、その結果、導光体表面から出射する光線量を向上することができる。
【００１３】
上記課題を解決するためになされたさらに別の考案は、複数の当該小型電球と、これらの小型電球を嵌入する複数のソケットと、これらのソケットに接続する電線とを備える電飾装置である。
【００１４】
当該電飾装置は、人の目に優しく、自然かつ暖かい光を発散する当該小型電球を複数備えるため、優れた装飾性を有し、クリスマスツリー、エクステリア装飾、広告板などに好適に使用される。
【考案の効果】
【００１５】
以上説明したように、本考案の小型電球用導光体、小型電球及び電飾装置は、簡易な構造及び低廉性を有し、人の目に優しく、自然かつ暖かい感じの発光が可能になり、ひいては貝殻の利用用途の拡大を促進することができる。
【考案を実施するための最良の形態】
【００１６】
以下、適宜図面を参照しつつ本考案の実施の形態を詳説する。図１は本考案の一実施形態に係る小型電球を示す模式的断面図、図２は図１の小型電球とは異なる形態に係る小型電球を示す模式的断面図、図３は図１の小型電球を備える電飾装置を示す模式図である。
【００１７】
図１の小型電球１は、電球本体２、導光体３及び反射材４を備えている。
【００１８】
電球本体２は、特に限定されるものではなく、公知の種々の小型電球が使用される。具体的には、電球本体２としては、キセノン球、クリプトン球、アルゴン球、ハロゲン球、ＬＥＤ等が使用され、消費電力が小さく球切れの心配のないＬＥＤが特に好ましい。電球本体２の具体的な構造としては、発光する頭部５、頭部５内の発光素子（図示していない）、頭部５から下方に延出する一対の端子６等を備えている。
【００１９】
導光体３は、略球形に形成され、電球本体２の頭部５の先端部を挿入するための凹部７が形成されている。この導光体３の凹部７に電球本体２の頭部５が挿入され、接着剤等で接着固定されている。
【００２０】
導光体３は、貝殻から形成されている。導光体３に使用される貝殻としては、特に限定されず、例えば真珠核に使用されるイシガイ科のドブ貝、シャコガイ科のシャコ貝、夜光貝、アワビ貝等が使用される。真珠核は真球性、均一白色性等が厳格に要求されるため、真珠核の製造は歩留まりがあまり高くなく、不適格品が多数できてしまう。一方、導光体３としては、厳格な真球性、均一白色性等が要求されず、逆に白色性等のムラがある方が当該小型電球１の発光の自然性や暖かさが促進されるので、真珠核の製造ででる不適格品が好適に使用される。なお、導光体３として、真珠核に真珠層を積層した養殖真珠を用いてもよい。
【００２１】
導光体３の製造方法としては、貝殻からの削り出しが好ましい。このように貝殻からの削り出しにより導光体３を製造することで、貝殻が持つ白色性の濃淡、縞模様等がより自然かつ暖かい発光に寄与する。なお、導光体３は、貝殻を粉体にし、この貝殻粉体を焼結又は合成樹脂バインダーを用いて成形してもよい。導光体３の平均径としては、挿入する電球本体２のサイズに合わせて適宜選択されるが、一般的には５ｍｍ以上３０ｍｍ以下が好ましく、この程度の平均径とすることで導光体３の光線の透過性等を好適に確保することができる。
【００２２】
反射材４は、電球本体２の頭部５の側面のうち導光体３に挿入していない部分に被覆されている。反射材４の材料としては、光線を効果的に反射する性質を有すれば特に限定されるものではなく、例えばアルミニウム箔等の金属薄板が使用される。この反射材４で電球本体２の頭部５の露出している部分を覆い、この部分からの光線の漏洩を防止することで、電球本体２の頭部５から出射した光線を効率よく導光体３に導き、導光体３表面からの光線量を向上することができる。
【００２３】
当該小型電球１は、貝殻から形成され、自然な透光性及び光拡散性を有する導光体３が電球本体２の頭部５に付設されているため、電球本体２から発せられる点状の光線を導光体３全体に分散させて導き、導光体３の表面全体から人の目に優しく、自然かつ暖かい光線を発散することができる。また、当該小型電球１は、廃棄処分される貝殻に新たな利用用途を提供するものであり、地球に優しいものとなる。
【００２４】
図２の小型電球１１は、電球本体２及び導光体３を備えている。この電球本体２及び導光体３は、上記小型電球１と殆ど同様であるが、以下の点が相違する。
【００２５】
導光体３の凹部１２は、電球本体２の頭部５の全体が挿入できる形状及びサイズに形成されており、電球本体２の頭部５全体が挿入され、接着固定されている。このように電球本体２の頭部５全体を導光体３に挿入することで、導光体３の表面全面に効果的に光線が導かれ、反射材４が不要となる。
【００２６】
図３の電飾装置は、複数の小型電球１と、これらの小型電球１の端子６を嵌入する複数のソケット２１と、これらのソケット２１に接続する電線２２とを備えており、その他に小型電球１の点滅等を制御するコントローラー等が備えられている。
【００２７】
当該電飾装置は、人の目に優しく、自然かつ暖かい光を発散する小型電球１を複数備えるため、優れた装飾性を有し、クリスマスツリー、エクステリア装飾、広告板などに好適に使用される。
【００２８】
なお、本考案の小型電球用導光体、小型電球及び電飾装置は上記実施形態に限定されるものではない。例えば、導光体の形状は、上記略球形に限定されず、例えば立方体状、三角錐状、星形、ランダム形状等も可能である。また、導光体は、電球本体の頭部を挿入する凹部を有さなくてもよく、単に電球本体の頭部に導光体を接着することでも同様の作用効果を発揮することができる。
【産業上の利用可能性】
【００２９】
以上のように、本考案の小型電球用導光体、小型電球及び電飾装置は、クリスマスツリー、エクステリア装飾、広告板などに有用であり、特に庭園のイルミネーションに好適に使用される。
【図面の簡単な説明】
【００３０】
【図１】本考案の一実施形態に係る小型電球を示す模式的断面図
【図２】図１の小型電球とは異なる形態に係る小型電球を示す模式的断面図
【図３】図１の小型電球を備える電飾装置を示す模式図
【符号の説明】
【００３１】
１ 小型電球
２ 電球本体
３ 導光体
４ 反射材
５ 頭部
６ 端子
７ 凹部
１１ 小型電球
１２ 凹部
２１ ソケット
２２ 電線
【図１】
0003139103.tif 000003
【図２】
0003139103.tif 000004
【図３】
0003139103.tif 000005